(57)【要約】【課題】小型であるとともに、少ない設備投資でＣクリップの締付作業を半自動化できる締付治具の提供。【解決手段】締付環部と一対の締結板とからなるＣクリップ１を、被締付部材３に取り付け、縮径方向に押圧しながらネジで締結する締付治具２であって、操作レバー５と、押圧ローラを備える押圧昇降体６と、フィードマットドライバー７２、７２を備えた締結昇降体７とを有し、操作レバー５と押圧昇降体６とを、カム面８とカムローラ５４とを介して連結し、操作レバー５と締結昇降体７とを、作用面５６と滑車７４とを介して連結する。操作レバー５の回動で締付環部を縮径方向に押圧し、一対の締結板が近接した位置で押圧昇降体６が停止している間に締結昇降体７が下降して一対の締結板をネジで締結する。【選択図】　　　　図１
2004074374.tif 000002
【特許請求の範囲】
【請求項１】
締付環部とその両端から外曲げ部を介して延長した一対の締結板とからなるＣクリップを、被締付部品に外嵌めして取り付け、前記締付環部を縮径方向に押圧しながら前記一対の締結板をネジで締結するためのＣクリップの締付治具であって、
機枠に、操作レバーと、押圧ローラを備えるとともに、前記操作レバーにより昇降される押圧昇降体と、前記操作レバーに連動して昇降するとともにフィードマットドライバーを備えた締結昇降体とを取り付け、
前記操作レバーと前記押圧昇降体とを、押圧面および遊動面からなるカム面と該カム面を滑動する滑動部材とを介して連結し、前記操作レバーと前記締結昇降体とを、作用面と該作用面を滑動する滑動部材とを介して連結し、
前記操作レバーの操作にともない、前記押圧面の作用で押圧ローラが前記締付環部を縮径方向に押圧し、前記一対の締結板が近接した位置で前記遊動面の作用で前記押圧昇降体が停止している間に前記締結昇降体が下降して前記フィードマットドライバーが前記一対の締結板をネジで締結することを特徴とするＣクリップの締付治具。
【請求項２】
請求項１に記載のＣクリップの締付治具において、前記押圧面および遊動面からなるカム面は、前記押圧昇降体に形成されるとともに略へ字形を呈し、前記操作レバーに取り付けた滑動部材であるカムローラにより前記操作レバーに連結されていることを特徴とするＣクリップの締付治具。
【発明の詳細な説明】
【０００１】
【発明の属する技術分野】
この発明は、Ｃクリップを被クリップ部材に締め付けるための締付治具に関する。
【０００２】
【従来の技術】
Ｃクリップは、締付環部とその両端から外曲げ部を介して延長した一対の締結板とからなる。締付環部は内周が開口した略コ字形の断面を有し、一対の締結板の間は被締付部材への嵌め込み口となっている。このＣクリップは、一対の締結板の間を広げて、同軸上に接合させた円形フランジおよび円形鍔などの被締結部材を、締付環部で外周から巻き締めし、一対の締結板をネジで締結する用途に使用される。
【０００３】
従来、Ｃクリップを締結部材に締め付ける作業は、図５の（イ）に示す如く、指でＣクリップ１を圧縮し、図５の（ロ）に示す如く、この状態を維持しながら締結板１３、１３をネジ１４で締結する手作業で行われている。このため、指先に大きな負担がかかり、腱鞘炎など労働災害の原因になるとともに、締め付け作業に時間が掛かって作業効率が悪い。
【０００４】
【発明が解決しようとする課題】
Ｃクリップの締め付けを締付治具で行い労働負荷を低減することが望まれているが、Ｃクリップは一対の締結板の間の開き具合（曲がり具合）にバラツキがある。このため、自動締付を実施しようとすると設備が大型で高価になる問題があるため、締付ラインに簡単に設置できる小型で安価のＣクリップの締付治具の実用化が要請されている。
この発明の目的は、小型であるとともに、少ない設備投資でＣクリップの締付作業を半自動化できるＣクリップの締付治具の提供にある。
【０００５】
【課題を解決するための手段】
この発明は、締付環部とその両端から外曲げ部を介して延長した一対の締結板とからなるＣクリップを、被締付部品に外嵌めして取り付け、締付環部を縮径方向に押圧しながら一対の締結板をネジで締結するためのＣクリップの締付治具であって、機枠に、操作レバーと、押圧ローラを備えるとともに、操作レバーにより昇降される押圧昇降体と、操作レバーに連動して昇降するとともにフィードマットドライバーを備えた締結昇降体とを取り付け、操作レバーと押圧昇降体とを、押圧面および遊動面からなるカム面と該カム面を滑動する滑動部材とを介して連結し、操作レバーと締結昇降体とを、作用面と該作用面を滑動する滑動部材とを介して連結し、操作レバーの操作にともない、押圧面の作用で押圧ローラが締付環部を縮径方向に押圧し、一対の締結板が近接した位置で遊動面の作用で押圧昇降体が停止している間に締結昇降体が下降して一対の締結板をネジで締結することを特徴とする。
【０００６】
【発明の作用】
この発明では、操作レバーを回動させると、押圧ローラは、Ｃクリップの締付環部の外曲げ部の近傍に当接し、Ｃクリップを下方に押し曲げる。この際に、Ｃクリップは縮径方向に変形するため、押圧ローラが押圧している締付環部の位置は、締結板と逆の方向に相対変位するが、押圧ローラの回転により、Ｃクリップは円滑に変形できる。この押し曲げが終了した位置で、一対の締結板は重なる。さらに操作レバーを回動させると、押圧昇降体は遊動面の作用で下降を停止し、この間にフィードマットドライバーを備えた締結昇降体が下降して一対の締結板をネジ止めする。
【０００７】
【発明の効果】
この発明のＣクリップの締付治具は、押圧ローラでＣクリップを縮径方向に押圧するため、曲がり具合にバラツキがあるＣクリップを円滑に変形させることが可能である。また、操作レバーの回動で半自動的にＣクリップの締付が実行できるため、作業効率が高い。さらに、Ｃクリップの締付治具の構成が単純であるため定額の設備投資ですみ、小型で設置スペースが少ないため製造ラインに組み込むことが容易である。この結果、Ｃクリップの締付において、指で押さえてＣクリップを変形させてその状態を維持する必要がなく、腱鞘炎など労働災害の発生を有効に防止できる。
【０００８】
請求項２に記載の発明では、押圧面および遊動面からなるカム面は、押圧昇降体に形成されるとともに略へ字形を呈し、操作レバーに取り付けた滑動部材であるカムローラにより操作レバーに連結されていることを特徴とする。
この構成では、滑動部材としたカムローラを用いているため操作レバーの操作力が小さく、押圧面および遊動面からなるカム面は、押圧昇降体に形成されるとともに略へ字形を呈しているため、押圧昇降体の構造が単純になる。
【０００９】
【発明の実施の形態】
この発明を図に示す実施例とともに説明する。図１、図２は、この発明にかかるＣクリップ１の締付治具２を示す。締付治具２の下方には、Ｃクリップ１によって締付される被締付部材３の設置治具４が配置されている。締付治具２は、支柱２１および支柱２１の上端に設けた横部材２２を有する機枠２０を備えている。支柱２１には、操作レバー５が回動自在に取り付けられ、Ｃクリップ１を押し曲げる押圧昇降体６と、Ｃクリップ１をネジ止めする締結昇降体７とが、それぞれ昇降自在に設置されている。
【００１０】
Ｃクリップ１は、図３に示す如く、取付口１０を有し開環状を呈する締付環部１１と、該締付環部１１の両端から外曲げ部１２、１２を介して延長した一対の締結板１３、１３とからなる。締付環部１１は、内周に開いた略コ字形の断面を有し、取付口１０と反対側には曲げ（取付口１０の拡大）を容易に行うために薄縁部１６が設けてある。一対の締結板１３、１３には、ネジ穴１５、１５が開けられている。
【００１１】
この実施例では、締付治具２は、Ｃクリップ１、１により、熱交換器３０の出口および入口に取り付けた口金３１、３１と接続パイプ３２、３２とを、同時的に連結するために使用される。口金３１と接続パイプ３２との嵌合面には、水密性を確保するために図３に示すＯリング３３が介装される。被締付部材３は、それぞれの口金３１に設けた円形フランジ３４と、それぞれの接続パイプ３２の一端側に設けた円鍔３５とを同軸的に突き合わせた突合体からなる。
【００１２】
設置治具４は、熱交換器３０を縦に保持する保持台４１、熱交換器３０の本体上部を保持台４１に固定するクランプ機構４２、および接続パイプ３２、３２の他端を支持するスタンド４３、４３を備えている。保持台４１の上面は、口金３１、３１の先端と接続パイプ３２、３２の他端とが同軸的に設置される設置面４４となっている。設置面４４には、Ｃクリップ１、１の締付環部１１、１１の下部を保持するＣクリップ保持部４５、４５が設けてある。
【００１３】
Ｃクリップ１、１による被締付部材３、３の締付は、それぞれの薄縁部１６を拡径側に曲げて取付口１０を広げて、締付環部１１を被締付部材３に外嵌めする。Ｃクリップ１、１は、取付口１０、１０を外側にした背向いに配置するとともに、下側の締結板１３が略水平となるようクリップ保持部４５、４５に設置する。
【００１４】
操作レバー５は、先端部が支柱２１の下位に設けたブラケト２３に、支点５１を介して回動自在に取り付けられている。操作レバー５の後端部は、握り部５２が設けられるとともに、機枠２０の横部材２２に設置したスプリングバランサー５３により上方に付勢され、上位に位置している。操作レバー５の先端側には、カムローラ５４を備えた押圧体５５が操作レバー５に沿って滑動自在となるように取り付けられている。操作レバー５の後端側には、締結昇降体７を下方に付勢するための作用面５６を備えた帯板５７が取り付けられている。
【００１５】
押圧昇降体６は、支柱２１に沿って上下に滑動する昇降腕６１と、該昇降腕６１に取り付けた一対の押圧部材６２、６２とを備えている。昇降腕６１は水平帯板状を呈し、基部６３が支柱２１に摺動自在に支持されている。昇降腕６１の基部６３側には略へ字形のカム溝８０が形成され、先端側には水平のスライド溝６４が設けられている。
【００１６】
カム溝８０の下側面はカム面８となっており、カム溝８０に差し込まれたカムローラ５４はカム面８を滑動する。カム面８は、支点５１側から握り部５２側に向かって斜め上方に上がる押圧面８１と、握り部５２側に斜め下方に下がる遊動面８２となっている。押圧面８１と遊動面８２とは頂点８３を介して滑らかに連続している。なお、カム面８を操作レバー５側に設け、カムローラ５４を押圧昇降体６側に設けてもよい。
【００１７】
一対の押圧部材６２、６２は、ローラハウジング６５、６５と、その下端に取り付けた押圧ローラ６６、６６とを備えている。各ローラハウジング６５は、上端部が、スライド溝６４を挿通して摺動可能に嵌め込まれた係止部材６７でネジ止めされている。係止部材６７、６７は、締結するネジを緩めて押圧ローラ６６、６６の間隔を任意に調整できるようになっている。
【００１８】
締結昇降体７は、支柱２１に沿って上下に滑動する昇降腕７１と、該昇降腕７１に取り付けた一対のフィードマットドライバー７２、７２とを備えている。昇降腕７１は、水平帯板状を呈し、基部７Ａが支柱２１に摺動自在に支持され、スライド溝７３が水平的に設けられている。昇降腕７１の先端部７Ｂの下部には、操作レバー５の作用面５６に係合して滑動する滑車７４が付設されている。昇降腕７１は、基部７Ａ側の上面に取り付けたフックが、横部材２２に設置したスプリングバランサー７５にワイヤで連結され、上方に付勢され上位に位置しているている。
【００１９】
フィードマットドライバー７２、７２は公知のものであり、円筒状を呈する中間部が、ブロック状のホルダー７６、７６に保持されている。ホルダー７６、７６は、スライド溝７３を挿通して摺動自在に嵌め込まれた係止部材７７、７７でネジ止めされ、昇降腕７１に設置されている。フィードマットドライバー７２、７２には、付設された公知のフィードマット（ネジ送り器）７８から、供給チューブ７９、７９を経てネジ１４が一本づつ供給される。
【００２０】
図４の（イ）に示す如く、押圧ローラ６６、６６の間隔を調整したのち、握り部５２を持って操作レバー５を下方に回動させると、押圧体５５がカムローラ５４を介して押圧面８１を下方に押圧しながら、握り部５２方向に滑動する。これにともない、押圧昇降体６は下方に下降し、押圧ローラ６６、６６が、Ｃクリップ１、１の締付環部１１の上部を下方に押圧し、締付環部１１を縮径側に押し曲げる。
【００２１】
この際に、押圧ローラ６６、６６は、外曲げ部１２、１２の付近を下方に押圧するように設定することが望ましい。これは、Ｃクリップ１、１を拡径側に曲げて取付口１０を広げる際に曲がり具合にバラツキが生じているため、押圧ローラ６６、６６と逆曲率の外曲げ部１２、１２とを安定して圧接するためである。Ｃクリップ１、１の曲げ変形にともない、押圧ローラ６６、６６と締付環部１１、１１との圧接面は相対変位するが、押圧ローラ６６、６６が回転するため、Ｃクリップ１、１の縮径変形を円滑に行える。
【００２２】
カムローラ５４がカム面８の頂点８３に到達した位置で、Ｃクリップ１、１は締結板１３、１３が重なる位置まで押し曲げられる。さらに、操作レバー５を下方に回動させると、カムローラ５４は遊動面８２を遊動するため、押圧昇降体６は下降せず停止している。このため、図４の（ロ）または（ニ）に示す如く、押圧ローラ６６、６６は締付環部１１、１１を押圧し、締結板１３、１３が略水平位置で重なる状態が維持される。
【００２３】
この間に、図４の（ハ）に示す如く、操作レバー５の作用面５６に係合して滑動する滑車７４が下方に付勢され、昇降腕７１が下降して、フィードマットドライバー７２、７２が略水平位置で重なった締結板１３、１３をネジ１４で締結する。これにより、Ｃクリップ１、１による被締付部材３、３の締付作業が完了する。
【図面の簡単な説明】
【図１】Ｃクリップの締付治具の斜視図である。
【図２】図１の腰部拡大図である。
【図３】Ｃクリップと被締付部材の組付図である。
【図４】Ｃクリップの締付工程図である。
【図５】従来のＣクリップの締付工程図である。
【符号の説明】
１　　Ｃクリップ
１１　締付環部
１２　外曲げ部
１３　締結板
２　　締付治具
２０　機枠
２１　支柱
３　　被締付部材
４　　設置治具
５　　操作レバー
５４　カムローラ
５６　作用面
６　　押圧昇降体
６６　押圧ローラ
７　　締結昇降体
７４　滑車
７２　フィードマットドライバー
８　　カム面
８０　カム溝
【図１】
2004074374.tif 000003
【図２】
2004074374.tif 000004
【図３】
2004074374.tif 000005
【図４】
2004074374.tif 000006
【図５】
2004074374.tif 000007